(57)【要約】      （修正有） 【課題】自動改札等ＩＣカードを受信パネルに密着させることができ、ＩＣカードデータの通信エラーが発生しないカードケースを提供する。【解決手段】弾性変形が可能なブロック状の突起を背面中央部に設ける。突起上面に文字や図を印字又は表示する。【選択図】図１
0003169075.tif 000002
【実用新案登録請求の範囲】
【請求項１】
柔軟性があり可撓性のないブロック状で、指で摘むことができる又は／或いは薄くて摘むことができない突起を一つ、または複数設けた事を特徴としたカードケース。
【請求項２】
ブロック状の突起上面に文字や図を印字または文字や図を記載した事を特徴とした請求項１記載のカードケース。
【請求項３】
突起内にＵＳＢメモリー等のＩＣを埋め込んだ事を特徴とした請求項１、請求項２記載のカードケース。
【請求項４】
突起を袋状または箱状にして、中にＵＳＢメモリー等の小物が収納できる事を特徴とした請求項１、請求項２記載のカードケース。
【請求項５】
カード出入口部にカード脱落防止の横切り溝を設けた事を特徴としたカードケース。
【考案の詳細な説明】
【技術分野】
【０００１】
本考案は、カードケースに関し、より詳言すれば、自動改札や自動販売等に於けるＩＣカード(マネーカード)を受信パネルにタッチ等で密着させることができＩＣカードデータの通信エラーがなく確実に情報のやり取りができる好適な携帯用カードケースに関するものである。
【背景技術】
【０００２】
駅等の改札カードは、駅員に定期券を呈示するカード目視改札の時代から磁気カード等を改札機の読取装置の中に通して読み取るカード取込自動改札の時代、そして現在はＩＣカードの技術開発により改札機の受信パネルに翳して読み取るカード翳し自動改札の時代へと変わってきた。
したがって、カードケースも目視改札の時代はカードケースを指で摘んだり、掌の中で握って呈示するため、薄く且つ、駅員が確認し易いカードケースが求められ、特許文献１のように、透明部材とこの透明部材面に対して定期券が動かないように接着手段を設けた「定期券ケース」が開示されている。また、磁気カード等を読取装置の中に通すカード取込自動改札の時代には片手でカードが容易に取り出せ、片手で容易にカードを回収して収納できるものが求められ、特許文献２のように、カードを指で押し出すために細長い窓枠とケース内部にはカードを滑らす多数の平行溝を設け、カード回収の際は導入口が拡大して収納し易い「定期券等カードの片手操作用携帯ケース」や特許文献３のように、ケース本体の上方の左右にカード通路を設け、通路上端側からカードを押し出して改札機の読取装置に挿入し、読取装置から出てきたカードをそのまま通路下端側から回収して収納する樹脂等からなる「定期券入れ」が開示されている。
【先行技術文献】
【特許文献】
【０００３】
【特許文献１】実開平４−５８１１４
【特許文献２】特開平５−３１７１１４
【特許文献３】特開平８−１００２６
【特許文献４】特開２００６−４３３９４
【考案の概要】
【考案が解決しようとする課題】
【０００４】
このように、近年のＩＣカードによる自動改札機の普及により、カードケースの役割もカードを駅員に見せる時代、及び改札機の中にカードを通す時代から大きく変わってきている。例えば、呈示して見せる必要やカードを取出したりカードを回収する必要はなく、その代わりにＩＣカードと自動改札機の受信パネルとの情報交換は微弱な電磁波で行うため、情報を持つＩＣカードを自動改札機の受信パネルに出来るだけ接近させて翳す事が求められている。しかしながら、それに対応した自動改札機の受信パネルに翳し易いＩＣカード用のカードケースはなく、呈示用のカードケースやカードを指で押し出すために細長い窓を設けた読取装置の中を通す取込用のカードケース等がそのまま使用されているのが現状である。
特に、呈示用のカードケースは、１〜３枚のカードが入る薄い板状袋の小型のものであり、歩きながらカードケースを指で摘んだり、掌の中で握って呈示するため、ポケットやバッグ等から簡単に取り出せて、改札員からも容易に情報確認ができ、またポケットやバッグ等に素早く簡単に仕舞うことができて、携帯に便利であると共に、非常に扱い易いが、その反面、図７（イ）に示すように、薄型でコンパクトであるため、電磁波により情報データを遣り取りするＩＣカード１２を入れて図７（ロ）のように、指６で摘んだり、図７（ハ）のように、掌１３の中で握って自動改札機８の受信パネル７に翳して使用すると、摘んだ指６や握った掌１３の一部が従来のカードケースＫと自動改札機８の受信パネル７の間で邪魔になり、翳し難いと共に、従来のカードケースＫと受信パネル７の間に隙間ができて接近させる事ができないため、電磁波による情報の遣り取りにエラーが発生すると云う不安と実際にエラーが発生してスムーズな改札の妨げになると云う欠点があった。薄型でコンパクトである特徴は自動改札機の受信パネル７に翳し難く逆効果となり、情報データを遣り取りする自動改札用のＩＣカードケースへの流用には不適であった。
【０００５】
しかし、図７（ハ）の状態に於いて、従来のカードケースＫを厚くすると握り易く、指６や掌１３が邪魔にならず、自動改札機８の受信パネル７に密着でき、情報データの遣り取りエラーも少なくなるため、図８（イ）に示すように、財布１４を兼ねたクレジット等のカード入れの貴重品ケースＳにＩＣカード１２を入れて（図示せず）図８（ロ）のように、自動改札機８の受信パネル７に貴重品ケースＳを面タッチさせて自動改札をする人が多いのが現状で一般的になっている。
例えば、特許文献４の財布表設カード入れケースは、財布表面に自動改札機用のＩＣカードが出し入れできるケースを一体化表設して、事実上カードケースを厚くしたことにより、掌で握り易く、且つ、カードケースを自動改札機の受信パネルにタッチし易いため、ＩＣカードと自動改札機の受信パネルが密着に近い状態になり、電磁波による情報の遣り取りが確実に行われてエラーが少なく、改札口ラッシュ時にスムーズに自動改札ができる様にしたものである。
しかしながら、自動改札や自動販売等のＩＣカードのカードケースと現金などの貴重品を入れる財布等を組み合わせると、電車等の自動改札機で使うＩＣカードは使用頻度が高く、出し入れ回数が多いため、常に出し易い様に、開口ポケット(図示せず)の中や図８（ハ）のように、開口したバック１５等の中が見える所に何時でも取り出せる様にして貴重品ケースＳを置いておかなくてはならず、落す等の紛失やスリ等の犯罪に遭うと云う心配があり、自動改札での情報の遣り取りエラーの欠点は改善されるが、新たに、常に財布等の貴重品に対する紛失の不安と犯罪の危険性が伴う。
【０００６】
本考案のカードケースは、このような従来の欠点である、ＩＣカードと自動改札機の受信パネルとの情報の遣り取りエラーと貴重品に対する犯罪の危険性や紛失の不安を解消し、財布等の厚さを必要とせず、従来の呈示用カードケースの薄型でコンパクトな特徴を生かし、ポケットやバッグ等から容易に取り出せて、歩きながらＩＣカードを改札機の受信パネルに出来るだけ近づけて確実なデータ通信によりエラーの無い改札行為ができ、またポケットやバッグ等に素早く容易に仕舞うことができる取り扱い易いと共に、携帯に便利である事が必要課題である。
【０００７】
本考案は、このような事情を鑑みなされたＩＣカードを受信パネルに翳す時代のカードケースであって、自動改札の場合は改札機の受信パネルにＩＣカードケースをタッチさせることにより、データ通信のエラーの不安感が無いと共に、エラーも無くスムーズに自動改札が出来る。また、改札が無事にパスして通れる事に絡めて、合格、就職、結婚、祈願成就、当選など願い事が無事にパスして叶うように改札の都度、祈願も合わせて出来るカードケース。更に、ＩＣカードで電車やバス等に乗る目的は、学校や会社に行く人が大部分であるため、今後のＩＣ情報化時代に合った学生の修学やサラリーマンの就業にも役立つ活用幅を広げたカードケースの提供を目的とする。
【課題を解決するための手段】
【０００８】
前記の課題を達成して目的を達成するためには、本考案のカードケースは、柔軟性があり可撓性のないブロック状で、指で摘むことができる又は／或いは薄くて摘むことができない突起を一つ、または複数設け、前記ブロック状の突起上面に文字や図が印字等でき、また前記ブロック状の摘める突起内にＵＳＢメモリー等のＩＣを埋め込んだり、ブロック状の摘める突起袋あるいは箱にして中にＵＳＢメモリー等の小物が収納でき、更にカード出入口部にカード脱落防止の横切り溝を設けたカードケース。
なお、本考案の突起形状は柔軟性のキャラクターにしたものや鉄道会社の機関車など会社等の製品や公共の建物等も含まれる。また、花、果物、日用品、食べ物等も含まれる。なお、本考案のカードケースとは、名刺入れ、名札入れ、診察券入、クレジットカード入れ等も含まれる。
【考案の効果】
【０００９】
以上詳述したように本考案のカードケースは、指で摘むことができる可撓性のないブロック状の突起をカードケース背面に設けた場合、使い易い財布の厚さの一部をブロック状の突起として残して、他の部分を薄くした様な状態のカードケースであり、摘んで判子を押す様に、カードケースを自動改札機の読取パネルにタッチすると確実に面タッチとなりカードケース内に入れてあるＩＣカードも自動改札機の読取パネルとカードケースの外皮を挟んで面密着で翳せる。したがって、装置の故障以外はＩＣカードと自動改札機の読取パネルとの情報交換は確実に行われ、改札行為による読み取りエラーを激減させる事が出来る。このように、自動改札動作がスムーズに行える事とエラーの発生が少なくなるため、ラッシュ時の混雑の緩和になる。また、自動改札機でエラーが発生してブザーが鳴り改札ゲートが閉まって通過を止められると後続の人に迷惑を掛けると共に、不快感が大きく気分が悪い。本考案のカードケースによれば、エラーの発生が少なくなるため、精神的なショックも無く、改札者は快適な通学・通勤等ができる。
【００１０】
また、ブロック状の摘める突起上面に文字や図を印字または記載できるようにしたため、お願い事の祈願ができる。例えば、摘み突起を矢印状にして上面に祈願内容の「合格」を印字や書くことにより、改札のとき合格の矢印突起を摘み、カードケースを自動改札機の読取パネルにタッチすると共に、合格祈願してエラーなく無事にパスして通れることにより、改札の都度、お願い事の祈願が出来る。願えば気持ちが締まり身体が動くため、多く願いば必ず叶うと言われる。
【００１１】
また、ブロック状の摘める突起内にＵＳＢメモリー等のＩＣチップを埋め込んだり、ブロック状の突起を袋状や箱状にしてカードケースと一体化し、中にＵＳＢメモリー等が収納できるようにすることにより、ＩＣカードで電車やバス等に乗る目的は学校や会社に行く人が大部分であるため、近い将来のＩＣ時代には、教材・学習資料や業務資料等をＵＳＢメモリー等に記憶させると資料や書類を入れたカバンの替わりになり、忘れたり、無くすることなく確実に持ち歩く事が出来る。
【００１２】
特許文献１の呈示用のカードケースはカードがずれて見えなくなるずれ防止の固定が必要。特許文献２、特許文献３のカードケースは、改札の都度、カードを出し入れするため、カードの出し入れ易さが必要。しかし、ＩＣカードを改札機に翳すカードケースはカードの固定も出し入れも必要なく、カードケースからＩＣカードが脱落することを防止すれば、より安心して使用できる。したがって、カード出入口部にカード脱落防止の横切り溝を設けたことにより、カードケースの袋内にＩＣカードを収納する時、ＩＣカードは袋皮によって常に面圧力を受けているため、横切り溝を過ぎて中に入ると横切り溝の内側の淵が一段下がり、ＩＣカードが抜け出ようとする時は、横切り溝の外側の淵に当たるため、ストッパーとなる。したがって、カードケースの通常状態ではＩＣカードの脱落を完全に防止できる。
【００１３】
更に、従来のカードケースは目視の呈示のため、入れた定期券が見えるように透明シートが片面に付設してあっが、本考案のカードケースは電磁波で情報を遣り取りするＩＣカードのため、中が見える必要はなく、不透明でよいため、表面、裏面の両面が宣伝媒体やファッション的に使える。
【００１４】
このように、本考案のカードケースに於いては、取り扱い易い薄くてコンパクトなカードケース単独でも情報通信のエラーがなく、スムーズに電車等の自動改札ができるため、財布やクレジットカード等の厚い貴重品ケースと兼用する必要がなく、財布等の貴重品は、バック等の奥の安全な所に確実に仕舞って閉口でき、紛失や犯罪等の安全安心が得られる。
したがって、今後の電磁波による非接触で自動読み書きの情報交換するＩＣカード社会に於いて、本考案のカードケースは乗り物、買い物、レジャー、スポーツ等に於ける快適な日常生活に奇与することができ、世界的にも今後の自動改札、自動販売等のＩＣ自動化社会に適した非常に効果的なカードケースの考案である。
【図面の簡単な説明】
【００１５】
【図１】本考案の請求項１の摘める矢印突起１ａを設けた突起付カードケースＮの一実施例を明示した斜視図。
【図２】本考案の請求項１の突起付カードケースＮの使い方を示したイラスト図で、(イ)は矢印突起１ａを摘んだ状態のイラスト図、(ロ)は矢印突起１ａ付の突起付カードケースＮを実際に自動改札機８の受信パネル７にタッチしている使用イラスト図。
【図３】本考案の一実施例である矢印突起１ａを他の突起形状にして、請求項２の摘める突起上面に文字を印字した突起付カードケースＮの一実施例を示したものであり、 (イ)はハート形の突起に「愛」を印字したハート愛突起１ｂ、 (ロ)は変形矢印形の突起に「合格」を印字した変形矢印合格突起１ｃである。
【図４】本考案の請求項３のＵＳＢメモリーを摘み突起内に埋め込んだ一実施例を示したものであり、(イ)は突起内にＵＳＢメモリーを埋め込んでＵＳＢ埋込突起１ｄとした突起付カードケースＮの斜視図、(ロ)は突起付カードケースＮの突起に埋め込まれたＵＳＢメモリーとパソコン１０をつないだ状態を示したものである。
【図５】本考案の請求項４のＵＳＢメモリーの収納袋を摘み突起とした突起付カードケースＮの一実施例を斜視図で示したものであり、 (イ) はＵＳＢメモリーを入れない空袋状態である、(ロ) はＵＳＢメモリーを入れて蓋をした状態である。
【図６】本考案の請求項５のカード脱落防止横切り溝を基盤３の表面Ｕ側の表皮に設けたことを示したカード出入口部の部分図である。
【図７】従来の呈示用のカードケースを流用した場合のＩＣカードによる自動改札時の不具合を示したものであり、(イ)は従来の呈示用カードケースの構成を示した斜視図、(ロ)は従来の呈示用カードケースを指で摘んで自動改札した場合の不具合。(ハ)は呈示用カードケースを掌で握って自動改札した場合の不具合。
【図８】ＩＣカードケースの現状と問題点を示したものであり、 (イ)は財布等の厚い貴重品ケースの斜視図、(ロ)はＩＣカードケースを財布等と兼ねて厚くした場合の利点、(ハ)は財布等の貴重品ケースと兼ねた場合の問題点を示したものである。
【考案を実施するための形態】
【００１６】
本発明の実施形態は、従来の呈示するカードケースの薄型、コンパクトで扱い易い特徴を生かしながら、自動改札機等の受信パネルにタッチし易しく、情報の遣り取りエラーが起き難いように、柔軟素材で可撓性が無くブロック状の突起を設けたＩＣカードのカードケースであり、自動改札機や自動販売機等の受信パネルに傷等が付く金属等の堅いものは全く用いないカードケース。
【実施例】
【００１７】
以下、本考案の実施例を図１から図８の添付図面に基づいて詳細に説明する。尚、この実施例を説明するにあたって従来の構成と同一部分には同一符号を付けて述べる。
【００１８】
図１は、本考案の摘める突起付カードケースＮの斜視図であり、摘み突起付カードケースＮは、基板３の一面が表面Ｕで表面Ｕには表袋皮４により表袋Ｇ(図示せず)が構成されていて、ＩＣカード１２(図示せず)が収納される。また、他面が背面Ｌで、背面Ｌには背袋皮２により背袋Ｆが構成されている。背袋皮２の略中央部には、柔軟素材でブロック状の摘める矢印形の突起である矢印突起１ａが設けられている。なお、表面Ｕの表袋皮４により表袋Ｇ(図示せず)のみの片袋方式や表面Ｕと背面Ｌにそれぞれ複数のカードが入れられる袋を設けた多袋方式にしてもよい。
【００１９】
図２は、本考案の請求項１の突起付カードケースＮの使い方を示したものであり、同図(イ)は、指６で突起付カードケースＮの矢印突起１ａを摘んだ状態を示したものである。同図(ロ)は、実際に指６で突起付カードケースＮの矢印突起１ａを摘んで判子を押す様に自動改札機８の受信パネル７に突起付カードケースＮの表面Ｕ(図示せず)をタッチして、ＩＣカード１２(図示せず)を密着させてエラーが無くパスする自動改札をしている状態で、突起付カードケースＮの使用方法を示したものである。
【００２０】
図３は、本考案の一実施例である図１の矢印突起１ａを他の突起形状にして、請求項２の摘める突起上面に文字を印字した突起付カードケースＮの一実施例を示したものであり、同図(イ)はハート形の突起に「愛」を印字したハート愛突起１ｂとした突起付カードケースＮである。他にスペード形の突起に「志」、クローバ形の突起に「幸」、ダイヤ形の突起に「宝」等いろいろな形状の突起にいろいろと印字ができる。同図(ロ)は変形矢印形の突起に「合格」を印字した変形矢印合格突起１ｃとした突起付カードケースＮであり、背面Ｌの背袋皮２には鳥居Ｔと祈願文字が印字されており、更に下部には窓９が設けられている。使い方は、お願い事と祈願者又は神社名を書く祈願カード(図示せず)を背袋Ｆに入れると窓９から祈願者又は神社名が見えるため、矢印に沿って「誰々が合格します様に」と祈願。又は「何々神社さま合格します様に」と祈願する。なお、背袋Ｆには参拝した神社のお札、吉運おみくじ、お守り等も入れられる。また、祈願内容は入学試験、就職試験、資格試験等の合格祈願の他に結婚、成就、当選、安産などの祈願にも応用できる。このように、いろいろな祈願が毎日、改札の都度できる突起付カードケースＮである。
【００２１】
図４は、本考案の請求項３のＵＳＢメモリーを摘める突起内に埋め込んだ一実施例を示したものであり、同図(イ)は突起物内にＵＳＢメモリーを埋め込んで背面Ｌの背袋皮２に固定してＵＳＢ埋込突起１ｄとした一実施例の突起付カードケースＮの斜視図、同図(ロ)はＵＳＢ埋込突起１ｄの突起付カードケースＮに於いて埋込ＵＳＢメモリーとパソコン１０をつないだ状態を示したものであり、重い資料カバン等の替わりに、自動改札のカードケースから何処ででも容易に業務資料や学習資料が得られて仕事や勉強ができるため、通勤・通学が楽になると共に忘れる事もない。
【００２２】
図５は、本考案の請求項４のＵＳＢメモリーの収納袋を摘み突起とした突起付カードケースＮの一実施例を斜視図で示したものであり、同図(イ) はＵＳＢメモリーの収納袋を背面Ｌの背袋皮２に固定して摘める収納袋突起１ｅとした一実施例の突起付カードケースＮの斜視図で、ＵＳＢメモリーを入れない空袋状態である。同図(ロ) は収納袋突起１ｅの中にＵＳＢメモリー(図示せず)を入れて蓋をした状態であり、ＵＳＢメモリーが壊れても替わりのＵＳＢメモリーを交換して入れる事ができる。また、必要に応じて他の小物も入れられるため、汎用性があり便利である。
【００２３】
図６は、本考案の請求項５のカード脱落防止横切り溝１１を基盤３の表面Ｕの表皮(図示せず)に設けた突起付カードケースＮのカード出入口部の部分図であり、カード出入口部にカード脱落防止の横切り溝１１を設けたことにより、表袋ＧにＩＣカード１２(図示せず)を挿入するとＩＣカード１２(図示せず)は表袋皮４によって常に面圧力を受け、中に挿入されるほど圧力を受ける面積が広くなるため面圧力は強くなり、ＩＣカード１２(図示せず)が横切り溝１１を過ぎて中に入ると横切り溝１１の内側の淵がＩＣカード１２(図示せず)圧力で一段下がるため、横切り溝１１の外側の淵との間に段差ができる。したがって、ＩＣカード１２(図示せず)が抜け出ようとする時は、横切り溝１１の外側の淵に当たり、ストッパーとなって、カードケースの通常状態ではＩＣカード１２(図示せず)の脱落を完全に防止する事ができる。ＩＣカード１２(図示せず)を抜き取る時は、突起付カードケースＮの上部の基盤３を背面Ｌ(図示せず)の方に反らして横切り溝１１の内側と外側の淵の段差をなくすることにより容易に取り出す事ができる。
【００２４】
図７は、呈示の従来のカードケースＫとその欠点を示したものであり、同図（イ）は、薄い板状袋でコンパクトな従来のカードケースＫの一例で、本考案の突起の無いものと同じである。同図（ロ）は、従来のカードケースＫを指６で摘んで、自動改札機８の受信パネル７の面に面タッチさせている状態を示したものである。指６が邪魔になり、従来のカードケースＫの面と自動改札機８の受信パネル７の面との間に隙間ができ、情報の遣り取りエラーが起こり易い。同様に、同図（ハ）は従来のカードケースＫを掌１３で握って、自動改札機８の受信パネル７の面に従来のカードケースＫの面を面タッチさせている状態を示したものであり、手の掌１３が邪魔になり、従来のカードケースＫの面と自動改札機８の受信パネル７の面との間に隙間ができ、情報の遣り取りエラーが起こり易いと云う欠点があった。
【００２５】
図８は、財布１４と従来のカードケースＫを兼ねた厚みのある貴重品ケースＳの特徴を示したものである。同図（イ）は、貴重品ケースＳには厚さがあり、握り易いと云う特徴がある。したがって、同図（ロ）のように、貴重品ケースＳを掌１３で握って、自動改札機８の受信パネル７の面に貴重品ケースＳの面を面タッチさせても指６や掌１３の一部が邪魔にならず、取り扱い易く情報の遣り取りエラーも起こりにくい。しかし、同図（ハ）のように、財布１４と従来のカードケースＫを兼ね合わせた貴重品ケースＳにすると自動改札時に何時でも素早く出せるように、バッグ１５を開口した状態にして、見える上部に貴重品ケースＳを常に置いておく必要があるため、結果的に財布１４を置いておく事になる。したがって、落す等の紛失やスリ等の犯罪に遭うと云う心配があり、常に貴重品に対する犯罪の危険性と紛失の不安が伴い、精神的な負担が大きいと云う欠点がある。
【符号の説明】
【００２６】
１    突起
１ａ  矢印突起
１ｂ  ハート愛突起
１ｃ  変形矢印合格突起
１ｄ  ＵＳＢ埋込突起
１ｅ  収納袋突起
２    背袋皮
３    基板
４    表袋皮
５    フック
６    指
７    受信パネル
８    自動改札機
９    窓
１０    パソコン
１１    横切り溝
１２    ＩＣカード
１３    掌
１４    財布
１５    バック
Ｆ    背袋
Ｇ    表袋
Ｋ    従来のカードケース
Ｌ    背面
Ｎ    突起付カードケース
Ｓ    貴重品ケース
Ｔ    鳥居
Ｕ    表面
【図１】
0003169075.tif 000003
【図２】
0003169075.tif 000004
【図３】
0003169075.tif 000005
【図４】
0003169075.tif 000006
【図５】
0003169075.tif 000007
【図６】
0003169075.tif 000008
【図７】
0003169075.tif 000009
【図８】
0003169075.tif 000010
【手続補正書】
【提出日】平成23年5月12日(2011.5.12)
【手続補正１】
【補正対象書類名】実用新案登録請求の範囲
【補正対象項目名】全文
【補正方法】変更
【補正の内容】
【実用新案登録請求の範囲】
【請求項１】
指で摘める弾性変形が可能な物を模ったブロック状の突起を背面中央部に設けた事を特徴としたカードケース。
【請求項２】
ブロック状の突起上面に文字や図を印字または文字や図を表示した事を特徴とした請求項１記載のカードケース。
【請求項３】
ブロック状の突起内にＵＳＢメモリー等のＩＣを埋め込んだ事を特徴とした請求項１または請求項２いずれかに記載のカードケース。
【請求項４】
ブロック状の突起を袋状または箱状にして、中にＵＳＢメモリー等の小物が収納できる事を特徴とした請求項１または請求項２いずれかに記載のカードケース。
【請求項５】
カード出入口部にカード脱落防止の横切り溝を設けた事を特徴とした請求項１記載のカードケース。
【手続補正２】
【補正対象書類名】明細書
【補正対象項目名】０００８
【補正方法】変更
【補正の内容】
【０００８】
前記の課題を達成して目的を達成するためには、本考案のカードケースは、指で摘むことができる弾性変形が可能で可撓性のない消しゴムを伏せた様なブロック状の突起を背面中央部に設け、前記ブロック状の突起上面に文字や図が印字等ができ、また前記ブロック状の摘める突起内にＵＳＢメモリー等のＩＣを埋め込んだり、ブロック状の摘める突起袋あるいは箱にして中にＵＳＢメモリー等の小物が収納でき、更にカード出入口部にカード脱落防止の横切り溝を設けたカードケース。
なお、本考案の突起に於いて物を模った形状は、キャラクターにしたもの。また、鉄道会社の機関車など会社の製品や公共の建物等を模ったものも含まれる。更に花、果物、日用品、食べ物等を模ったものも含まれる。なお、本考案のカードケースとは、名刺入れ、名札入れ、診察券入、クレジットカード入れ等も含まれる。